(57)【要約】      （修正有）【課題】天板と幕板との間に過大な隙間が生じてしまうことを好適に抑制し得るフラップ天板付家具を提供する。【解決手段】脚体と、脚体に対して回動可能に支持され使用姿勢から跳ね上げ姿勢までの間でフラップ動作可能な天板Ｃと、天板Ｃに対して回転可能に支持され天板Ｃが使用姿勢を採る際に垂下姿勢をなす幕板Ｄとを備えたフラップ天板付家具であって、天板Ｃに幕板Ｄを上下遊動可能に枢支させる枢支機構Ｅと、天板Ｃが跳ね上げ姿勢から使用姿勢に到るまでの回動領域において幕板Ｄを天板Ｃの回動に連動して天板Ｃの下面に接近し得るように持ち上げる幕板持ち上げ機構Ｆとを設けているものとした。【選択図】図４
2020048859.tif 000002
【特許請求の範囲】
【請求項１】
脚体と、この脚体に対して回動可能に支持され使用姿勢から跳ね上げ姿勢までの間でフラップ動作可能な天板と、この天板に対して回転可能に支持され前記天板が前記使用姿勢を採る際に垂下姿勢をなす幕板とを備えたフラップ天板付家具であって、
前記天板に前記幕板を上下遊動可能に枢支させる枢支機構と、前記天板が前記跳ね上げ姿勢から前記使用姿勢に到るまでの回動領域において前記幕板を前記天板の回動に連動して前記天板の下面に接近し得るように持ち上げる幕板持ち上げ機構とを設けているフラップ天板付家具。
【請求項２】
前記幕板が略矩形板状をなす幕板本体を備えたものである請求項１記載のフラップ天板付家具。
【請求項３】
前記幕板が略矩形板状をなす幕板本体を備えたものであり、この幕板本体が木製のものである請求項１又は２記載のフラップ天板付家具。
【請求項４】
前記枢支機構が、前記天板及び前記幕板のいずれか一方に設けられた長孔と、他方に設けられ前記長孔にスライド及び回転可能に係合したピンとを備えたものであり、
前記天板が前記跳ね上げ姿勢から前記使用姿勢に到達しようとする少なくとも直前の回動領域において前記長孔が上下方向に延びた姿勢をなしている請求項１、２又は３記載のフラップ天板付家具。
【請求項５】
前記枢支機構が、前記天板に設けられたアームと、前記幕板に設けられたブラケットとを備えたものであり、これらアーム及びブラケットのいずれか一方に前記長孔が設けられており、他方に前記ピンが設けられている請求項４記載のフラップ天板付家具。
【請求項６】
前記幕板持ち上げ機構が、前記アームに設けられた押出係合部と、前記ブラケットに設けられ前記押出係合部が当接し得る当接部とを備えたものであり、
前記アームが前記跳ね上げ姿勢から前記使用姿勢に向かって回動する過程において前記押出係合部が前記当接部に当接して前記ブラケットを上方に押し上げるように構成されている請求項５記載のフラップ天板付家具。
【請求項７】
前記天板が略矩形板状をなす天板本体を備えたものであり、前記幕板が略矩形板状をなす幕板本体を備えたものであり、
前記使用姿勢にある前記天板本体の反使用端面が、前記幕板本体の外面と略面一に連続する位置に設定されている請求項１、２、３、４、５又は６記載のフラップ天板付家具。
【発明の詳細な説明】
【技術分野】
【０００１】
本発明は、オフィスや会議室等において好適に使用されるフラップ天板付家具に関する。
【背景技術】
【０００２】
従来から、フラップ天板付家具として、脚体と、脚体に支持されて使用姿勢から跳ね上げ姿勢までの間でフラップ動作可能な天板と、天板が使用姿勢を採る際に下肢空間を覆い隠すべく天板における反使用端縁側の下に配される幕板とを備えてなるものが知られている（例えば、特許文献１を参照）。
【０００３】
この種の家具に用いられる幕板は、設計の柔軟性が比較的高い合成樹脂製のもの又は板金製のもの或いはこれらを組み合わせたものが殆どであった。フラップ天板付家具として、前述したような幕板を適用する場合には、当該幕板の上端縁と使用姿勢の天板との間に生ずる隙間を抑制するための幕板及びその関連部分の成形を柔軟に実施し得るものとなっていた。
【０００４】
ところが、例えば、外観上の高級感を創出したり製造工数を低減したりする等の目的で、フラップ天板付家具の幕板として比較的シンプルな外観をなすものを用いる場合には、幕板に対して天板との間に生ずる隙間を抑制するための加工や成形を実施し難く、結果として、天板の下面と幕板の上端縁との間に過大な隙間が生じやすいものとなっていた。
【先行技術文献】
【特許文献】
【０００５】
【特許文献１】特開２００９−６１２６５号公報
【発明の概要】
【発明が解決しようとする課題】
【０００６】
本発明は、以上のような事情に着目してなされたもので、天板と幕板との間に過大な隙間が生じてしまうことを好適に抑制し得るフラップ天板付家具を提供することにある。
【課題を解決するための手段】
【０００７】
すなわち、本発明は次の構成をなしている。
【０００８】
請求項１に記載の発明は、脚体と、この脚体に対して回動可能に支持され使用姿勢から跳ね上げ姿勢までの間でフラップ動作可能な天板と、この天板に対して回転可能に支持され前記天板が前記使用姿勢を採る際に垂下姿勢をなす幕板とを備えたフラップ天板付家具であって、前記天板に前記幕板を上下遊動可能に枢支させる枢支機構と、前記天板が前記跳ね上げ姿勢から前記使用姿勢に到るまでの回動領域において前記幕板を前記天板の回動に連動して前記天板の下面に接近し得るように持ち上げる幕板持ち上げ機構とを設けているフラップ天板付家具である。
【０００９】
請求項２に記載の発明は、前記幕板が略矩形板状をなす幕板本体を備えたものである請求項１記載のフラップ天板付家具である。
【００１０】
請求項３に記載の発明は、前記幕板が略矩形板状をなす幕板本体を備えたものであり、この幕板本体が木製のものである請求項１又は２記載のフラップ天板付家具である。
【００１１】
請求項４に記載の発明は、前記枢支機構が、前記天板及び前記幕板のいずれか一方に設けられた長孔と、他方に設けられ前記長孔にスライド及び回転可能に係合したピンとを備えたものであり、前記天板が前記跳ね上げ姿勢から前記使用姿勢に到達しようとする少なくとも直前の回動領域において前記長孔が上下方向に延びた姿勢をなしている請求項１、２又は３記載のフラップ天板付家具である。
【００１２】
請求項５に記載の発明は、前記枢支機構が、前記天板に設けられたアームと、前記幕板に設けられたブラケットとを備えたものであり、これらアーム及びブラケットのいずれか一方に前記長孔が設けられており、他方に前記ピンが設けられている請求項４記載のフラップ天板付家具である。
【００１３】
請求項６に記載の発明は、前記幕板持ち上げ機構が、前記アームに設けられた押出係合部と、前記ブラケットに設けられ前記押出係合部が当接し得る当接部とを備えたものであり、前記アームが前記跳ね上げ姿勢から前記使用姿勢に向かって回動する過程において前記押出係合部が前記当接部に当接して前記ブラケットを上方に押し上げるように構成されている請求項５記載のフラップ天板付家具である。
【００１４】
請求項７に記載の発明は、前記天板が略矩形板状をなす天板本体を備えたものであり、前記幕板が略矩形板状をなす幕板本体を備えたものであり、前記使用姿勢にある前記天板本体の反使用端面が、前記幕板本体の外面と略面一に連続する位置に設定されている請求項１、２、３、４、５又は６記載のフラップ天板付家具である。
【発明の効果】
【００１５】
以上説明したように本発明によれば、天板と幕板との間に過大な隙間が生じてしまうことを好適に抑制し得るフラップ天板付家具を提供することができる。
【図面の簡単な説明】
【００１６】
【図１】本発明の一実施形態を示す斜視図。
【図２】同実施形態における右側面図。
【図３】同実施形態における斜視図。
【図４】同実施形態における部分拡大分解斜視図。
【図５】同実施形態における右側面図。
【図６】同実施形態における斜視図。
【図７】同実施形態における背面図。
【図８】図６におけるＸ−Ｘ線断面図を含む作用説明図。
【図９】同実施形態における作用説明図。
【図１０】同実施形態における作用説明図。
【図１１】同実施形態における作用説明図。
【図１２】他の実施形態を示す部分拡大斜視図。
【発明を実施するための形態】
【００１７】
以下、本発明の一実施形態を、図１〜１１を参照して説明する。
【００１８】
この実施形態は、本発明を、本発明をいわゆるフラップテーブルと称されるフラップ天板付家具に適用したものである。
【００１９】
フラップ天板付家具は、図１〜１１に示すように、左右に対をなし下端にキャスタａ４を配した左右の脚体Ａと、左右の脚体Ａに支持され使用姿勢（Ｇ）から跳ね上げ姿勢（Ｈ）までの間でフラップ動作可能な天板Ｃと、天板Ｃに対して回転可能に支持され当該天板Ｃが使用姿勢（Ｇ）を採る際に垂下姿勢（Ｉ）をなす幕板Ｄとを備えたものである。更に、本実施形態におけるフラップ天板付家具には、天板Ｃに幕板Ｄを上下遊動可能に枢支させる枢支機構Ｅと、天板Ｃが跳ね上げ姿勢（Ｈ）から使用姿勢（Ｇ）に到るまでの回動領域において幕板Ｄを天板Ｃの回動に連動して天板Ｃの下面に接近し得るように持ち上げる幕板持ち上げ機構Ｆとを設けている。
【００２０】
以下、このフラップ天板付家具について詳述する。
【００２１】
左右の脚体Ａは、図１〜３、及び、図５〜７に示すように、前後方向に伸びるベースａ１と、ベースａ１に立設された脚支柱ａ２とを備えている。ベースａ１の前端部及び後端部にはキャスタａ４が設けられている。左右の脚体Ａの上には、天板支持機構Ｂを介して天板Ｃが回転可能に支持されている。脚支柱ａ２には、幕板Ｄを支持するリンク部材ａ３の一端部が回転可能に支持されている。なお、リンク部材ａ３の他端部は、幕板Ｄに設けられたリンク取付台座６に枢着されている。左右の脚体Ａには、天板支持機構Ｂを介して天板Ｃが支持されている。
【００２２】
天板支持機構Ｂは、図１〜３、及び、図５〜７に示すように、使用姿勢（Ｇ）と跳ね上げ姿勢（Ｈ）との間で、天板Ｃを脚体Ａに対して回動可能に支持させ得る既知の構成のものである。天板支持機構Ｂは、脚体Ａに取り付けられた軸プレートｂ１と、軸プレートｂ１に軸支持され上面で天板Ｃを受ける天板受けｂ２と、天板受けｂ２に枢着され天板Ｃを使用姿勢（Ｇ）と跳ね上げ姿勢（Ｈ）に選択的にロックすべく軸プレートｂ１に対して選択的に係合し得る図示しないロック爪とを備えている。ロック爪は、天板受けｂ２の外側に配されたレバー式の操作部ｂ３を操作することにより当該操作部ｂ３と一体に回動し得るものとなっている。左右の脚体Ａに支持された軸プレートｂ１は、連結ビームｂ４を介して剛結されている。
【００２３】
天板Ｃは、図１〜１１に示すように、脚体Ａに天板支持機構Ｂを介して回動可能に支持されている。天板Ｃは、使用者が使用し得る使用姿勢（Ｇ）から床面に対して起立する跳ね上げ姿勢（Ｈ）までの間でフラップ動作可能に構成されている。
【００２４】
天板Ｃは、左右方向に長い略長方形状をなした天板本体１と、天板本体１における下面の反使用縁側に取り付けられた枢支機構Ｅを構成するアーム２とを備えている。
【００２５】
天板本体１は、木製のものである。天板本体１は、断面形状が略長方形状をなしている。天板本体１の反使用端面１ａは、使用姿勢（Ｇ）にあるときに、垂下姿勢（Ｉ）をなす幕板本体４の外面４ａと略面一に連続する箇所に位置するように設定されている。なお、天板本体１の下面における左右両端部には天板支持機構Ｂを構成する天板受けｂ２が取り付けられている。天板本体１の下面における使用端縁側の左右両端部には、キャスタａ４のロック状態を一時的に解除し得るボタン式のロック解除用の操作部３が設けられている。
【００２６】
アーム２は、特に、図４、及び、図７〜１１に示すように、幕板Ｄのブラケット５と協働して枢支機構Ｅ及び幕板持ち上げ機構Ｆを構成する合成樹脂製のものである。アーム２は、天板本体１の下面に左右に対をなして配されている。アーム２は、天板本体１に対してねじ止めされている。
【００２７】
アーム２は、使用姿勢（Ｇ）をなす天板本体１に対して略直交する方向である下方に延びる基端延出部分２１ｂを有した基部２１と、基部２１の先端から外方すなわち天板本体１に沿うように当該天板本体１の反使用端縁側に向かって片持ち状に延びた中間部２２と、中間部２２における先端から天板本体１の反使用端縁側に向かって突設された押出係合部たる爪２３とを備えている。
【００２８】
アーム２は、基部２１と中間部２２によって側面視において略Ｌ字状の形態をなしている。そして、当該アーム２における略Ｌ字状の形態部分と天板本体１との間に、天板Ｃが跳ね上げ姿勢（Ｈ）を採る際に、傾き姿勢（Ｊ）をなす幕板本体４の上端部が収容される収容空間ｓｐが形成されている。
【００２９】
アーム２の基部２１は、天板本体１にねじ止めするためのねじ挿通孔ｈ１が設けられた天板添設部分２１ａと、天板添設部分２１ａの左右方向中央部に突設された基端延出部分２１ｂとを備えている。
【００３０】
アーム２の中間部２２は、基部２１に対して片持ち梁状に支持されている。アーム２の中間部２２は、基端部から先端部に向かって側面視において漸次幅寸法が大きくなるように形成されている。アーム２の中間部２２における先端側には左右方向に貫通した長孔２２ａが設けられている。長孔２２ａは、中間部２２における天板本体１寄りの部位に形成されている。
【００３１】
アーム２の爪２３は、アーム２における先端部に突設されている。爪２３は、中間部２２の先端における天板本体１から離れた方の端部から外方すなわち天板本体１の反使用端縁側に向けて突設されている。爪２３は、長孔２２ａよりも天板本体１から離れた位置に設けられている。
【００３２】
爪２３は、先端部における上角部分に設けられた押圧部２３ａと、押圧部２３ａに隣接する位置に設けられ上側すなわち天板本体１側を向く支持面２３ｂを備えている。なお、爪２３の押圧部２３ａは、幕板Ｄの爪当接部５１ａに設けた被押圧傾斜面５１ｂを押圧し得るものである。爪２３の支持面２３ｂは、幕板Ｄの爪当接部５１ａに設けた被支持面５１ｃに添接し得るものである。
【００３３】
幕板Ｄは、図１〜１１に示すように、使用姿勢（Ｇ）における天板Ｃの反使用端縁側の下に配されるものである。幕板Ｄは、下肢空間が露出しないように覆い隠すものである。幕板Ｄは、天板Ｃが使用姿勢（Ｇ）を採るときに天板Ｃから垂下する垂下姿勢（Ｉ）をなすとともに天板Ｃが跳ね上げ姿勢（Ｈ）を採るときに脚支柱ａ２に当接又は近接するように傾いた傾き姿勢（Ｊ）をなすように構成されている。
【００３４】
幕板Ｄは左右方向に長い略長方形をなした木製の幕板本体４と、幕板本体４の左右両端部における上縁近傍部分に配され天板Ｃのアーム２と係わり合うブラケット５と、左右両端部における上下方向中間部に配され一端部が脚体Ａに支持されたリンク部材ａ３の他端部を枢支するリンク取付台座６とを有したものである。
【００３５】
幕板本体４は、木製のものである。幕板本体４は、その断面が略長方形状をなしている。なお、天板Ｃが使用姿勢（Ｇ）を採るときに、垂下姿勢（Ｉ）をなす幕板本体４の外面４ａは、天板本体１の反使用端面１ａと略面一に連続する位置に設定されている。
【００３６】
ブラケット５は、特に、図４、及び、図７〜１１に示すように、天板Ｃのアーム２と協働して枢支機構Ｅ及び幕板持ち上げ機構Ｆを構成する合成樹脂製のものである。ブラケット５は、幕板本体４における左の上端近傍部分及び右の上端近傍部分に対をなして配されている。ブラケット５は、幕板本体４に対してねじ止めされている。
【００３７】
ブラケット５は、幕板本体４に添設されたベース部５１と、ベース部５１から突設されたピン支持部５２と、ピン支持部５２の先端部に設けられアーム２の長孔２２ａ内に遊動可能に配設されるピン５３とを備えたものである。
【００３８】
ベース部５１は、幕板本体４にねじ止めするための左右二箇所に配されたねじ挿通孔ｈ２と、これら左右のねじ挿通孔の間における下端部に設けられアーム２に設けられた爪２３と係わり合う爪当接部５１ａとを備えている。
【００３９】
ベース部５１に形成された爪当接部５１ａは、アーム２側を向き上から下に向かって漸次幕板本体４に近接するように傾斜した被押圧傾斜面５１ｂと、被押圧傾斜面５１ｂの下に連続して設けられ下側を向く被支持面５１ｃとを備えている。なお、爪当接部５１ａの被押圧傾斜面５１ｂは、天板Ｃの爪２３に設けた押圧部２３ａにより押圧されるものである。爪当接部５１ａの被支持面５１ｃは、天板Ｃの爪２３に設けた支持面２３ｂに添接し得るものである。
【００４０】
ピン支持部５２は、ベース部５１から幕板本体４に対して略直交する方向に突設されている。ピン支持部５２は、ピン５３を片持ち的に支持している。
【００４１】
しかして、この実施形態のフラップ天板付家具は、天板Ｃに幕板Ｄを上下遊動可能に枢支させる枢支機構Ｅと、天板Ｃが跳ね上げ姿勢（Ｈ）から使用姿勢（Ｇ）に到るまでの回動領域において幕板Ｄを天板Ｃの回動に連動して天板Ｃの下面に接近し得るように持ち上げる幕板持ち上げ機構Ｆとを設けている。
【００４２】
枢支機構Ｅは、図４、及び、図７〜１１に示すように、天板Ｃのアーム２に設けられた長孔２２ａと、幕板Ｄのブラケット５に設けられ長孔２２ａにスライド及び回転可能に係合したピン５３とを備えたものである。そして、枢支機構Ｅは、天板Ｃが跳ね上げ姿勢（Ｈ）から使用姿勢（Ｇ）に到達しようとする直前の回動領域において長孔２２ａが上下方向に延びた姿勢をなしている。換言すれば、枢支機構Ｅは、天板Ｃが跳ね上げ姿勢（Ｈ）から使用姿勢（Ｇ）に向けて回動する過程における当該使用姿勢（Ｇ）に到達する直前の姿勢において幕板Ｄのピン５３が長孔２２ａ内を上動し得るように長孔２２ａの延出方向が設定されている。
【００４３】
枢支機構Ｅは、天板Ｃの下面に設けられ当該天板Ｃと一体に回動するアーム２と、幕板Ｄに設けられたブラケット５とを備えている。この実施形態における枢支機構Ｅは、天板本体１にねじ止めにより固着されたアーム２に長孔２２ａが設けられている。また、幕板本体４の上端近傍における内面には、ねじ止めにより固着されたブラケット５にピン５３が設けられている。
【００４４】
幕板持ち上げ機構Ｆは、図４、及び、図７〜１１に示すように、アーム２の先端側に設けられた押出係合部たる爪２３と、ブラケット５に設けられ押出係合部たる爪２３が当接し得る当接部たる爪当接部５１ａとを備えたものである。そして、幕板持ち上げ機構Ｆは、アーム２が天板本体１とともに跳ね上げ姿勢（Ｈ）から使用姿勢（Ｇ）に向かって回動する過程において、爪２３が爪当接部５１ａに当接してブラケット５を上方に押し上げるように構成されている。
【００４５】
以下、フラップ天板付家具に設けられた幕板持ち上げ機構Ｆの作動について図８〜１１の作用説明図を参照して説明する。
【００４６】
フラップ天板付家具は、レバー式の操作部ｂ３を操作することにより、天板支持機構Ｂを作動させ、図１１に示す天板Ｃがほぼ水平となる使用姿勢（Ｇ）と図８に示す天板Ｃが起立した跳ね上げ姿勢（Ｈ）とを選択的に採らせることができるようになっている。
【００４７】
幕板持ち上げ機構Ｆは、図８に示す跳ね上げ姿勢（Ｈ）にある天板Ｃを図１１に示す使用姿勢（Ｇ）に遷移させるべく、図８、図９、図１０、図１１の順に、天板Ｃを脚体Ａに対して回転させると、天板Ｃが跳ね上げ姿勢（Ｈ）から使用姿勢（Ｇ）に到るまでの回動領域において幕板Ｄを天板Ｃの回動に連動して天板Ｃの下面に接近し得るように持ち上げるものとなっている。
【００４８】
具体的には、幕板持ち上げ機構Ｆは、アーム２が天板本体１とともに跳ね上げ姿勢（Ｈ）から使用姿勢（Ｇ）に向かって回動する過程において、まず最初に、図９に示すようにアーム２に設けた爪２３が幕板Ｄのブラケット５に設けた爪当接部５１ａに当接し、ブラケット５を幕板本体４とともに上方に押し上げるように構成されている。
【００４９】
すなわち、アーム２が天板本体１とともに跳ね上げ姿勢（Ｈ）から使用姿勢（Ｇ）に向かって回動すると、まず、爪２３に設けた押圧部２３ａが爪当接部５１ａの被押圧傾斜面５１ｂに当接し、その後、当該被押圧傾斜面５１ｂを押圧し始める。押圧部２３ａは、被押圧傾斜面５１ｂを大きな力で押圧し、爪当接部５１ａを天板Ｃの回動に連動して上方に押し上げる。
【００５０】
押圧部２３ａは、被押圧傾斜面５１ｂに対する押圧過程において被押圧傾斜面５１ｂにより押圧された幕板Ｄ全体を上方に移動させる結果、当該被押圧傾斜面５１ｂとの相対位置が変化する。すなわち、押圧部２３ａは、被押圧傾斜面５１ｂに対して漸次下方に遷移していく。このとき、図９及び図１０に示すように、アーム２に設けた長孔２２ａは上下方向に延びた姿勢をなしているのでブラケット５は押圧部２３ａにより押圧されて上動し、ピン５３は無理なく長孔２２ａの下部から上部に移動することになる。
【００５１】
図１０に示すように、押圧部２３ａは、当該被押圧傾斜面５１ｂに対する押圧過程を終えると被押圧傾斜面５１ｂの下に配された被支持面５１ｃ側に潜り込むように移動する。そして、押圧部２３ａに代わって上方を向く爪２３の支持面２３ｂが下方を向く爪当接部５１ａの被支持面５１ｃに当接し、上方に持ち上げられた幕板Ｄが下方に移動しないように（持ち上げられた幕板Ｄが落ちないように）支持することになる。図１１に示すように、天板Ｃが使用姿勢（Ｇ）に至ると、爪２３の先端面２３ｃが幕板本体４の内面に当接するとともにブラケット５のピン５３が長孔２２ａの上端部に位置し、アーム２に対して幕板Ｄが所期の垂下姿勢（Ｉ）に位置決めされることになる。
【００５２】
以上説明したように、本実施形態に係るフラップ天板付家具は、脚体Ａと、この脚体Ａに対して回動可能に支持され使用姿勢（Ｇ）から跳ね上げ姿勢（Ｈ）までの間でフラップ動作可能な天板Ｃと、この天板Ｃに対して回転可能に支持され天板Ｃが使用姿勢（Ｇ）を採る際に垂下姿勢（Ｉ）をなす幕板Ｄとを備えている。そして、フラップ天板付家具は、天板Ｃに幕板Ｄを上下遊動可能に枢支させる枢支機構Ｅと、天板Ｃが跳ね上げ姿勢（Ｈ）から使用姿勢（Ｇ）に到るまでの回動領域において幕板Ｄを天板Ｃの回動に連動して天板Ｃの下面に接近し得るように持ち上げる幕板持ち上げ機構Ｆとを設けている。このため、天板Ｃと幕板Ｄとの間に過大な隙間ｓｋが生じてしまうことを好適に抑制し得る構成を有したフラップ天板付家具を提供することができるものとなる。
【００５３】
つまり、枢支機構Ｅにより無理なく上動し得る状態に支持された幕板Ｄが、幕板持ち上げ機構Ｆにより天板Ｃの下面に接近し得るように持ち上げられるものとなっている。このため、使用姿勢（Ｇ）における天板Ｃの下面と垂下姿勢（Ｉ）をなす幕板Ｄの上端面との間に過大な隙間ｓｋが形成されにくく、外観に優れたフラップ天板付家具を提供できるものとなる。
【００５４】
しかも、使用姿勢（Ｇ）における天板Ｃの下面と垂下姿勢（Ｉ）をなす幕板Ｄの上端面との間に過大な隙間ｓｋが形成され難いため、不意に使用者の被服や指を挟むようなことも好適に抑制されるものとなる。
【００５５】
幕板Ｄが、略矩形板状をなす幕板本体４を備えたものである。そして、幕板本体４の断面が、略長方形状をなすものである。このため、幕板Ｄとして、高級感を創出し得る比較的シンプルな形態、すなわち、幕板本体Ｄとして、略矩形板状かつ断面が略長方形状をなす形態のものを適用したフラップ天板付家具を提供し得るものとなる。
【００５６】
つまり、従来は、フラップテーブルの幕板に比較的シンプルな形態のものを適用しようとする場合、使用姿勢における天板の下面と垂下姿勢における幕板の上端面との間に隙間が大きく形成されてしまい、高級感を著しく損なうことが課題になっていた。
【００５７】
ところが、この実施形態のフラップ天板付家具であれば、使用姿勢（Ｇ）における天板Ｃの下面と垂下姿勢（Ｉ）における幕板Ｄの上端面との間に隙間ｓｋが大きく形成されないものとなるため、高級感を創出し得るシンプルな形態の幕板Ｄを無理なく適用し得るものとなっている。
【００５８】
幕板本体４が、木製のものである。このため、比較的シンプルな形態をなし高級感のある幕板Ｄを提供し得るものとなっている。換言すれば、木製の幕板本体４は、その材質の特性上、複雑な加工を施し難く、実際上、使用姿勢（Ｇ）における天板Ｃの下面との間の隙間ｓｋを抑制し得るような加工を強制すれば高コストを招来してしまうものとなっていた。しかしながら、本実施形態におけるフラップ天板付家具であれば、木製の幕板本体４を無理のない加工内容に止め、そのシンプルな形態に基づいた高級感を発揮させつつ、使用姿勢（Ｇ）における天板Ｃの下面との間の隙間ｓｋの形成幅が適切に抑制された幕板Ｄを提供できるものとなっている。
【００５９】
枢支機構Ｅが、天板Ｃに設けられた長孔２２ａと、幕板Ｄに設けられ長孔２２ａにスライド及び回転可能に係合したピン５３とを備えたものである。そして、天板Ｃが跳ね上げ姿勢（Ｈ）から使用姿勢（Ｇ）に到達しようとする直前の回動領域（図９及び図１０を参照）において長孔２２ａが上下方向に延びた姿勢をなしている。このため、幕板Ｄが使用姿勢（Ｇ）に到達する直前の天板Ｃに対して無理なく上方に動き得るものとなっており、幕板持ち上げ機構Ｆの作用を好適に実現し得るものとなっている。
【００６０】
枢支機構Ｅが、天板本体１の下面に設けられ当該天板本体１と一体に回動するアーム２と、幕板本体４の上端近傍における内面に固着されたブラケット５とを備えている。そして、アーム２に長孔２２ａが設けられており、ブラケット５にピン５３が設けられている。このため、アーム２に設けた長孔２２ａとブラケット５に設けたピン５３による具体的な構成により、幕板Ｄが使用姿勢（Ｇ）に到達する直前の天板Ｃに対して無理なく上方に動き得るものとなっており、幕板持ち上げ機構Ｆの作用を好適に実現し得るものとなっている。
【００６１】
なお、図８に示すように、天板Ｃが跳ね上げ姿勢（Ｈ）をなすときには、アーム２に設けられた長孔２２ａは、前後方向（略水平方向）に延びた姿勢を採るものとなっている。このため、収容空間ｓｐに誤って手指を入れた場合でも、傾き姿勢（Ｊ）をなす幕板Ｄが前後方向に比較的容易に動き得る状態に支持されているため、手指を詰めてしまうようなことが好適に回避されるものとなる。
【００６２】
幕板持ち上げ機構Ｆが、アーム２の先端側に設けられた押出係合部たる爪２３と、ブラケット５に設けられ爪２３が当接し得る当接部たる爪当接部５１ａとを備えたものである。そして、アーム２が天板本体１とともに跳ね上げ姿勢（Ｈ）から使用姿勢（Ｇ）に向かって回動する過程において爪２３が爪当接部５１ａに当接してブラケット５を上方に押し上げるように構成されている。このため、幕板Ｄを持ち上げるための具体的構成が、アーム２に設けた爪２３とブラケット５に設けた爪当接部５１ａとによって好適に実現されたものとなっている。
【００６３】
使用姿勢（Ｇ）にある天板本体１の反使用端面１ａが、幕板本体４の外面４ａと略面一に連続する位置に設定されている。このため、天板本体１と僅かな隙間ｓｋを介して配された幕板本体４とが協働し、まるで直方体の上面と一側面を想起させるようなシンプルかつ美観に優れたフラップ天板付家具を提供し得るものとなる。
【００６４】
なお、本発明は、以上に詳述した実施形態に限られるものではない。
【００６５】
例えば、図１２に示すように、幕板Ｄに設けたブラケット５に壁体７を立設し、天板Ｃに設けたアーム２の爪２３とブラケット５の爪当接部５１ａとの係わり合い部分に、使用者の手指がアクセスしないように構成したものであってもよい。なお、壁体７は、ブラケット５に一体に設けられたものであってもよいし、幕板本体４やブラケット５に対して後付けできるように別部材で構成したものであってもよい。
【００６６】
枢支機構は、天板に対して幕板を上下遊動可能に枢支させ得るものであればよく、上述した実施形態に示したものに限定されるものではない。
【００６７】
天板持ち上げ機構は、天板が跳ね上げ姿勢から使用姿勢に到るまでの回動領域において幕板を天板の回動に連動して天板の下面に接近し得るように持ち上げるものであればよく、上述した実施形態に示したものに限定されるものではない。
【００６８】
幕板本体は、必ずしも略矩形板状をなしたものに限定されるものではない。なお、「略矩形板状」とは、全体的に見て略矩形板状をなしている形態をとるものであればよく、完全な矩形板状の形態のものに限られるものではない。
【００６９】
幕板本体の断面は、必ずしも略長方形状をなしたものに限定されるものではない。なお、「略長方形状」とは、全体的に見て略長方形状をなしている形態をとるものであればよく、完全な長方形状の形態のものに限られるものではない。
【００７０】
幕板本体は、木製のものに限られるものではなく、合成樹脂製のものや板金製のものや、種々の材質の部品を組み合わせて構成されたものであってもよい。
【００７１】
枢支機構が、幕板側に長孔を設け、天板側にピンを設けた構成をなしていてもよい。例えば、枢支機構が、天板本体の下面に設けられ当該天板本体と一体に回動するアームと、幕板本体の上端近傍における内面に固着されたブラケットとを備え、ブラケットに長孔が設けられており、アームにピンが設けられているものであってもよい。
【００７２】
フラップ天板付家具は、使用姿勢にある天板本体の反使用端面が、幕板本体の外面と略面一に連続する位置に設定されていないものであってもよいのはもちろんのことである。
【００７３】
その他、各部の具体的構成についても上記実施形態に限られるものではなく、本発明の趣旨を逸脱しない範囲で種々変形が可能である。
【符号の説明】
【００７４】
Ａ…脚体
Ｃ…天板
Ｄ…幕板
Ｅ…枢支機構
Ｆ…幕板持ち上げ機構
【図１】
2020048859.tif 000003
【図２】
2020048859.tif 000004
【図３】
2020048859.tif 000005
【図４】
2020048859.tif 000006
【図５】
2020048859.tif 000007
【図６】
2020048859.tif 000008
【図７】
2020048859.tif 000009
【図８】
2020048859.tif 000010
【図９】
2020048859.tif 000011
【図１０】
2020048859.tif 000012
【図１１】
2020048859.tif 000013
【図１２】
2020048859.tif 000014